(57)【要約】【課題】この発明は、液晶プロジェクタ側にシリアルデータを受信するための回路および受信データを一時的に格納するためのバッファを設けることなく、ＰＣから液晶プロジェクタに調整値を設定することができる液晶プロジェクタへの調整値設定方法を提供することを目的とする。【解決手段】液晶プロジェクタに調整値を設定するための調整値設定方法において、ＰＣを液晶プロジェクタ内のＩ２Ｃバスに接続し、ＰＣが液晶プロジェクタ内のＩ２Ｃバスを直接コントロールすることにより、液晶プロジェクタに設定すべき調整値を、ＰＣから液晶プロジェクタ内のＩ２Ｃバス経由で液晶プロジェクタ内の所定のデバイスに転送するようにした。【選択図】  図１
2004208003.tif 000002
【特許請求の範囲】
【請求項１】
液晶プロジェクタに調整値を設定するための調整値設定方法において、ＰＣを液晶プロジェクタ内のＩ２Ｃバスに接続し、ＰＣが液晶プロジェクタ内のＩ２Ｃバスを直接コントロールすることにより、液晶プロジェクタに設定すべき調整値を、ＰＣから液晶プロジェクタ内のＩ２Ｃバス経由で液晶プロジェクタ内の所定のデバイスに転送するようにしたことを特徴とする液晶プロジェクタへの調整値設定方法。
【請求項２】
液晶プロジェクタ内の所定のデバイスが不揮発性メモリであることを特徴とする請求項１に記載の液晶プロジェクタへの調整値設定方法。
【発明の詳細な説明】
【０００１】
【発明の属する技術分野】
この発明は、ホワイトバランス調整値、ガンマ補正データ調整値等の調整値を液晶プロジェクタに設定するための液晶プロジェクタへの調整値設定方法に関する。
【０００２】
【従来の技術】
液晶プロジェクタの生産工程には、各種調整工程が設けられており、１台毎に最適な調整を行っている。液晶プロジェクタ内の制御ソフトウエアには、工程支援モードという調整値を変更するためのプログラムが用意されており、調整者は各種調整項目毎に必要なモードおよびアイテムナンバーを選択して調整を行っている。
【０００３】
液晶プロジェクタの制御ソフトウエアの開発には、工程支援モードのサポートが必要になるが、時間とリソースがかなりかかっているのが現状である。また、工程支援モードのサポートに伴って、Flash ROM 領域の余裕が少なくなってきている。
【０００４】
ホワイトバランス調整値、ガンマ補正データ調整値等の調整値を、シリアル通信(RS-232C) によって、ＰＣから液晶プロジェクタに送信する方法が知られている。しかしながら、この方法では、シリアルデータを受信するための回路および受信データを一時的に格納するためのバッファが必要である。なお、バッファに受信データが格納されると、液晶プロジェクタ側のＣＰＵが、Ｉ２Ｃバスを介して受信データを所定のデバイス、たとえば、不揮発性メモリに転送する。
【０００５】
【発明が解決しようとする課題】
この発明は、液晶プロジェクタ側にシリアルデータを受信するための回路および受信データを一時的に格納するためのバッファを設けることなく、ＰＣから液晶プロジェクタに調整値を設定することができる液晶プロジェクタへの調整値設定方法を提供することを目的とする。
【０００６】
【課題を解決するための手段】
請求項１に記載の発明は、液晶プロジェクタに調整値を設定するための調整値設定方法において、ＰＣを液晶プロジェクタ内のＩ２Ｃバスに接続し、ＰＣが液晶プロジェクタ内のＩ２Ｃバスを直接コントロールすることにより、液晶プロジェクタに設定すべき調整値を、ＰＣから液晶プロジェクタ内のＩ２Ｃバス経由で液晶プロジェクタ内の所定のデバイスに転送するようにしたことを特徴とする。
【０００７】
請求項２に記載の発明は、請求項１に記載の液晶プロジェクタへの調整値設定方法において、液晶プロジェクタ内の所定のデバイスが不揮発性メモリであることを特徴とする。
【０００８】
【発明の実施の形態】
以下、図面を参照して、この発明の実施の形態について説明する。
【０００９】
図１は、液晶プロジェクタと、液晶プロジェクタに調整値を設定するためのＰＣとを示している。図２は、液晶プロジェクタ内のＩ２Ｃバス等を示している。
【００１０】
液晶プロジェクタ２内のＩ２Ｃバス２１は、本来、液晶プロジェクタ内のＣＰＵ２０がコントロールするようになっているが、ＰＣ１がスタートコンディション、サブアドレス、ストップコンデション等を正しく設定すれば、ＰＣ１を物理的に液晶プロジェクタ２内のＩ２Ｃバスとを結線して、ＰＣ１から液晶プロジェクタ２内の所定のデバイス３１、３２にＩ２Ｃバス経由でデータを転送することが可能となる。
【００１１】
ただし、ＰＣ１から液晶プロジェクタ２内のＩ２Ｃバス２１にアクセスしている期間中は、液晶プロジェクタ２内のＣＰＵ２０からＩ２Ｃバスへのコントロールを中止しておく必要がある。ＰＣ１とＩ２Ｃバスとの結線を外した後に、液晶プロジェクタ２の電源を再度オンさせると、液晶プロジェクタ２は通常の動作に戻る。
【００１２】
ＰＣ１には、調整値を液晶プロジェクタ２に液晶プロジェクタ２内のＩ２Ｃバス２１経由で所定のデバイス（この例では、不揮発性メモリ（ＮＶＲＡＭ）３１）に転送するためのアプリケーションソフトウエア（以下、調整値転送用アプリケーションソフトウエアという）が搭載されている。液晶プロジェクタ２には、図２に示すように、液晶プロジェクタ２内のＩ２Ｃバス２１に接続された専用コネクタ（Ｉ２Ｃバス用コネクタ）４０が設けられている。ＰＣ１と液晶プロジェクタ２内のＩ２Ｃバスとは、ＰＣ１のパラレルポートと液晶プロジェクタ２に設けられたＩ２Ｃバス用コネクタ４０とを専用ケーブル３によって接続することによって物理的に結線される。
【００１３】
図３は、Ｉ２Ｃバス用コネクタ４０に関するピン配置を示している。図３において、ＳＣＬはクロックを、ＳＤＡはデータを示している。図４は、ＰＣ１のパラレルポートを示している。
【００１４】
ＰＣ１のパラレルポートのＢＩＯＳ設定は、双方向モードに設定する。また、ＰＣ１のパラレルポートのＩ／Ｏアドレスは、ＬＰＴ１の３７８ｈ，３７Ａｈ固定という制限を設けておけば、ＰＣ１に搭載される調整値転送用アプリケーションソフトウエアの開発の負荷が軽減される。
【００１５】
ＰＣ１と液晶プロジェクタ２内のＩ２Ｃバスとが物理的に結線されている状態において、調整値の転送先デバイスとして液晶プロジェクタ２内のＩ２Ｃバス２１に接続されている不揮発性メモリ３１を指定するとともに、不揮発性メモリ３１のデータ書き込みアドレスを指定して、ＰＣ１から液晶プロジェクタ２に調整値を転送する。ＰＣ１から液晶プロジェクタ２に転送された調整値は、液晶プロジェクタ２内のＩ２Ｃバス２１経由で、不揮発性メモリ３１の指定書き込みアドレスに格納される。
【００１６】
なお、ＰＣ１が使用する不揮発性メモリ３１のアドレスと、液晶プロジェクタ２が使用する不揮発性メモリ３１のアドレスとは、共通している必要があることは言うまでもない。
【００１７】
【発明の効果】
この発明によれば、液晶プロジェクタ側にシリアルデータを受信するための回路および受信データを一時的に格納するためのバッファを設けることなく、ＰＣから液晶プロジェクタに調整値を設定することができるようになる。
【図面の簡単な説明】
【図１】液晶プロジェクタと、液晶プロジェクタに調整値を設定するためのＰＣとを示す概略図である。
【図２】液晶プロジェクタ内のＩ２Ｃバス等を示す概略図である。
【図３】Ｉ２Ｃバス用コネクタ４０に関するピン配置を示す表である。
【図４】ＰＣ１のパラレルポートを示す外観図である。
【符号の説明】
１  ＰＣ
２  液晶プロジェクタ
２０  ＣＰＵ
２１  Ｉ２Ｃバス
３１  不揮発性メモリ（ＮＶＲＡＭ）
４０  Ｉ２Ｃバス用コネクタ
【図１】
2004208003.tif 000003
【図２】
2004208003.tif 000004
【図３】
2004208003.tif 000005
【図４】
2004208003.tif 000006